(57)【要約】【課題】荷崩れせずに大量に、かつ安定して瓦等の重量物を配送でき、設置スペースが少なくて済むパレットを提供する。【解決方法】底面部１１と前壁面部１２、後壁面部１３、左壁面部１４、右壁面部１５から構成される。  底面部の前後両端角部に上端開口と底面部側の側面開口を有するベースフレーム１６を立設固定し、前後壁面部の左右両端にベースフレームへ嵌合されるアッパーフレーム１７を固着し、両フレーム側面の一方にガイドスリット１７ａを形成し、他方にガイドピン２１を突設してガイドスリットに遊嵌し、アッパーフレームが上下方向に伸縮してガイドピンを軸に回動するようにして、前後壁面部及び底面部へ回動可能に連結された左右壁面部が共に底面部側に倒伏されるように構成する。  そして、係合凹部１６ｃへ係合ピン２０を係合して前後壁面を立設保持し、通孔２２ａと穴１５ａへ連結ピン２３を挿通することで左右壁面部を立設保持する。【選択図】図１
2005329965.tif 000002
【特許請求の範囲】
【請求項１】
前後及び左右の壁面部と底面部からなるパレットであって、前記底面部の前後両端角部に上端開口と底面部側の側面開口を有するベースフレームを立設固定し、前記前後の壁面部の左右両端にアッパーフレームを固着し、ベースフレームとアッパーフレームのいずれか一方のフレームの側面に縦長のガイドスリットと係合部を設け、他方のフレームの側面にガイドピンと被係合部を設け、ガイドスリットにガイドピンを遊嵌することにより前記アッパーフレームを前記ベースフレームに前記上端開口を通して上下方向に進退可能に、かつ前記側面開口を通して回動可能に組み付けるとともに、係合部が被係合部に係合することによりアッパーフレームがベースフレームに立設保持されるように組み付け、前記左右の壁面部を前記底面部の左右両端部に回動可能に組み付け、かつ該左右の壁面部をベースフレームに立設保持されたアッパーフレームに解除可能に連結する連結手段を設け、ベースフレームにアッパーフレームを立設保持することにより底面部に対して前後の壁面を立設保持し、立設保持したアッパーフレームに連結手段で前記左右の壁面部を連結することにより底面部に対して左右の壁面部を立設保持し、連結手段による連結を解除して左右の壁面部を底面部に倒伏させ、かつ係合部と被係合部の係合を解除して前後の壁面部を倒伏した左右の壁面部に倒伏させるように構成したことを特徴とするパレット。
【請求項２】
前記ベースフレーム下端部に基台部を設け、前後及び左右の壁面部を立設した一のパレットに他のパレットを積み重ねるとき、一のパレットのアッパーフレームの上端部に他のパレットの基台部が遊嵌し、前後及び左右の壁面部を倒伏させた一のパレットに他のパレットを積み重ねるとき、一のパレットのベースフレームの上端部に他のパレットの基台部が遊嵌するようにしたことを特徴とする請求項１に記載のパレット。
【発明の詳細な説明】
【技術分野】
【０００１】
本発明は、パレットに関し、より詳しくは瓦等の重量物を製造工場から施工現場へ配送するに好適なパレットに関する。
【背景技術】
【０００２】
従来、通常の瓦は製造工場で出荷時に同型、同寸の桟瓦を数十枚ごと荷造り用のバンド等で括り、受け台が平坦な配送用パレット、或は特開平１１−２３６０４２号公報に開示される瓦の形状に合わせて波状に形成した受け台を備える配送用パレット等に前記の括った瓦を数組ごとに積み上げて施工現場へ配送している。
【特許文献１】特開平１１−２３６０４２号公報
【発明の開示】
【発明が解決しようとする課題】
【０００３】
しかしながら、従来の配送用パレットは、瓦が台上で滑り荷崩れする可能性がある。また、瓦を積載したパレット同士を積み重ねることはできず、パレットの設置に多大のスペースが不可欠である。
【０００４】
本発明は上記の課題に鑑みて為されたものであって、荷崩れせずに大量に、かつ安定して瓦等の重量物を配送できるパレットを提供することを第１の目的とする。
また、設置スペースが少なくて済むパレットを提供することを第２の目的とする。
【課題を解決するための手段】
【０００５】
上記課題を解決するために本発明は、前後及び左右の壁面部と底面部からなるパレットであって、前記底面部の前後両端角部に上端開口と底面部側の側面開口を有するベースフレームを立設固定し、前記前後の壁面部の左右両端にアッパーフレームを固着し、ベースフレームとアッパーフレームのいずれか一方のフレームの側面に縦長のガイドスリットと係合部を設け、他方のフレームの側面にガイドピンと被係合部を設け、ガイドスリットにガイドピンを遊嵌することにより前記アッパーフレームを前記ベースフレームに前記上端開口を通して上下方向に進退可能に、かつ前記側面開口を通して回動可能に組み付けるとともに、係合部が被係合部に係合することによりアッパフレームがベースフレームに立設保持されるように組み付け、前記左右の壁面部を前記底面部の左右両端部に回動可能に組み付け、かつ該左右の壁面部をベースフレームに立設保持されたアッパーフレームに解除可能に連結する連結手段を設け、ベースフレームにアッパーフレームを立設保持することにより底面部に対して前後の壁面を立設保持し、立設保持したアッパーフレームに連結手段で前記左右の壁面部を連結することにより底面部に対して左右の壁面部を立設保持し、連結手段による連結を解除して左右の壁面部を底面部に倒伏させ、かつ係合部と被係合部の係合を解除して前後の壁面部を倒伏した左右の壁面部に倒伏させるように構成したことを特徴とする。
そして、好ましくは前記ベースフレーム下端部に基台部を設け、前後及び左右の壁面部を立設した一のパレットに他のパレットを積み重ねるとき、一のパレットのアッパーフレームの上端部に他のパレットの基台部が遊嵌し、前後及び左右の壁面部を倒伏させた一のパレットに他のパレットを積み重ねるとき、一のパレットのベースフレームの上端部に他のパレットの基台部が遊嵌するように構成する。
【発明の効果】
【０００６】
上記の解決手段によれば、本発明のパレットは受け台となる底面部の周囲に前後及び左右の壁面部を立設したので、瓦等の重量物を壁面で支持することができる。このため、瓦等の重量物の輸送中に荷崩れすることがない。しかも、瓦等を積み込まないときは前後及び左右の壁面を底面部に倒伏して折り畳むことができるので、嵩張らず、積み重ねることが可能となる。そのため保管スペースが少なくて済む。
そして、ベースフレームに基台部を設けることにより、瓦等を積み込んだ状態でも、壁面を折り畳んだ状態でもパレット同士をずれないように複数段積み重ねることが可能となり、パレットの設置スペースを大幅に節約できる。
【発明を実施するための最良の形態】
【０００７】
本発明を実施するパレットは、前後及び左右の壁面部と底面部からなる。
前記底面部の前後両端角部に上端開口と底面部側の側面開口を有するベースフレームを立設固定し、前記前後壁面部の左右両端にアッパーフレームを固着する。アッパーフレームの側面に縦長のガイドスリットと係合ピンを設け、ベースフレームの側面にガイドピンと係合凹部を設ける。
ガイドスリットにガイドピンを遊嵌することにより前記アッパーフレームが前記ベースフレームの前記上端開口を通して上下方向に進退可能であって、かつ前記側面開口を通して回動可能となるようにする。係合ピンが係合凹部に係合することによりアッパーフレームがベースフレームに立設保持されるように組み付ける。また、前記左右壁面部を前記底面部の左右両端部に回動可能に組み付ける。
そして、前記左右壁面部の上端角部に穴を形成し、アッパーフレームに通孔を備えるブラケットを設け、連結ピンを介して穴と通孔を連結する。
ベースフレームにアッパーフレームを立設保持することにより底面部に対して前後壁面を立設保持し、立設保持したアッパーフレームに前記連結手段で前記左右壁面部を連結することにより底面部に対して左右壁面部を立設保持するようことができる。
一方で、連結ピンによる連結を解除して左右壁面部を底面部に倒伏させ、かつ係合ピンと係合凹部の係合を解除して前後壁面部を倒伏した左右壁面部に倒伏させることもできる。
そして、前記ベースフレーム下端部に底面を開口した基台部を設け、前後及び左右の壁面部を立設した一のパレットに他のパレットを積み重ねるとき、一のパレットのアッパーフレーム上端部に他のパレットの基台部が遊嵌することができ、前後及び左右の壁面部を倒伏させた一のパレットに他のパレットを積み重ねるとき、一のパレットのベースフレーム上端部に他のパレットの基台部が遊嵌することができるようにする。
【実施例１】
【０００８】
本発明の実施例に係るパレット１０は、図１に示すように底面部１１、前壁面部１２、後壁面部１３、左壁面部１４、右壁面部１５から成る箱形を有し、四隅にベースフレーム１６とアッパーフレーム１７を備えている。
【０００９】
図２及び図３に示すように、左右の壁面部１４，１５はヒンジ１８で底面部１１の左右の端部に回動可能に組み付けられている。
【００１０】
ベースフレーム１６は底面部の四隅に溶接により立設固定されている。図３に示すように、ベースフレーム１６は上端面と底面部１１側側面にそれぞれ開口１６ａ，１６ｂを形成したコ字形断面形状を有する。ベースフレーム１６の側面の上端部に係合凹部１６ｃが欠成されている。ベースフレーム１６の下端部には基台部１９が溶接されている。基台部１９は底面に開口１９ａを形成した中空構造を有する。
【００１１】
アッパーフレーム１７は前後の壁面部１２，１３の左右両端部に溶接により一体に固着されている。アッパーフレーム１７の下端部は左右の壁面部１４，１５の下端部まで延び、上端部は左右１４，１５及び前後１２，１３の壁面部の上端より上方に突出している。図３及び図４に示すように、アッパーフレーム１７の下部にはベースフレーム１６の係合凹部１６ｃに係合する係合ピン２０が突設されている。係合ピン２０の下方の部位には縦長のガイドスリット１７ａが形成されている。アッパーフレーム１７は上端開口１６ａからベースフレーム１６中に挿入し、ガイドピン２１をベースフレーム１６の側面を貫通してガイドスリット１７ａに挿通することによりベースフレーム１６に連結されている。このため、アッパーフレーム１７はベースフレーム１６に対し、ガイドスリット１７ａの長さだけ上端開口１６ａを通して上下に進退させることができる。そして、係合凹部１６ｃに係合ピン２０を係合させることによりアッパーフレーム１７がベースフレーム１６に立設保持される。さらに、係合凹部１６ｃから係合ピン２０を外すことによりアッパーフレーム１７がガイドピン２１を支点にしてベースフレーム１６の側面開口１６ｂから底面部１１側へ倒伏する。
【００１２】
図５に示すように、アッパーフレーム１７の上部には通孔２２ａを設けたブラケット２２が溶接されるとともに、この通孔２２ａに差し込むことのできるヘッド付き連結ピン２３がチェーン２４で取り付けられている。一方、左右の壁面部１４，１５の前後の上端部に通孔２２ａとほぼ同径の穴１５ａが形成されている。左右の壁面部１４，１５はアッパーフレーム１７をベースフレーム１６に立設した状態で、通孔２２ａと穴１５ａに連結ピン２３を差し込むことにより底面部１１に対して立設保持される。
【００１３】
本発明の実施例に係るパレットの構造は以上の通りであって、次ぎにその使用方法を説明する。図１に示すように、ベースフレーム１６の係合凹部１６ｃにアッパーフレーム１７の係合ピン２０を係合させて、アッパーフレーム１７をベースフレーム１６に立設保持する。これにより、前後の壁面部１２，１３がアッパーフレーム１７と一体に底面部１１に対し立設保持される。ついで、左右の壁面部１４，１５を回動させて底面部１１から起立させ、アッパーフレーム１７のブラケット２２の通孔２２ａと左右の壁面部１４，１５の穴１５ａに連結ピン２３を差し込み、左右の壁面部１４，１５を立設保持されているアッパーフレーム１７に連結する。これにより左右の壁面部１４，１５が底面部１１に対して立設保持される。こうしてパレット１０が箱形に組み立てられるので、中に瓦を格納し、運搬する。また、要すれば、図６に示すように、パレット１０ａの上に別のパレット１０ｂを積み重ねる。そのとき、下のパレット１０ａのアッパーフレーム１７の突出先端部に上のパレット１０ｂの基台部１９を被せるようにして上のパレット１０ｂを下のパレット１０ａに積み重ねる。
【００１４】
パレットを使用しないときは、図７に示すように連結ピン２３を穴１５ａと通孔２２ａから外し、左右の壁面部１４，１５を回動させて底面部１１に倒伏させる。次ぎに、図８に示すように係合凹部１６ｃから係合ピン２０を外してアッパーフレーム１７を回動させ、前後の壁面部１２，１３を左右の壁面部１４，１５に倒伏させる。これによりパレット１０はコンパクトに折り畳まれる。そして、要すれば、図９に示すように、折り畳んだパレット１０ｃの上に別の折り畳んだパレット１０ｄを積み重ねる。そのとき、下のパレット１０ｃのベースフレーム１６の先端部に上のパレット１０ｄの基台部１９を被せるようにして上のパレット１０ｄを積み重ねる。
【図面の簡単な説明】
【００１５】
【図１】本発明の実施例１に係るパレットを示す斜視図である。
【図２】本発明の実施例１に係るパレットの右側面図である。
【図３】本発明の実施例１に係るパレットのベースフレームにアッパーフレームが立設保持されている部分の拡大斜視図である。
【図４】本発明の実施例１に係るパレットのベースフレームと底面部側に倒伏されたアッパーフレームの部分拡大斜視図である。
【図５】本発明の実施例１に係るパレットのアッパーフレームのブラケットと右壁面を連結ピンで連結した部分の拡大斜視図である。
【図６】本発明の実施例１に係るパレットの各壁面部を立設保持したまま積み重ねたときの右側面図である。
【図７】本発明の実施例１に係るパレットの左右壁面部を倒伏したときの斜視図である。
【図８】本発明の実施例１に係るパレットの各壁面部を全て倒伏したときの斜視図である。
【図９】本発明の実施例１に係るパレットの各壁面部を全て倒伏して積み重ねたときの右側面図である。
【符号の説明】
【００１６】
１０…パレット、１１…底面部、１２…前壁面部、１３…後壁面部、１４…左壁面部、１５…右壁面部、１５ａ…穴、１６…ベースフレーム、１６ａ…上端開口部、１６ｂ…側面開口部、１６ｃ…係合凹部、１７…アッパーフレーム、１７ａ…ガイドスリット、１８…ヒンジ、１９…基台部、１９ａ…底面開口部、２０…係合ピン、２１…ガイドピン、２２…ブラケット、２２ａ…通孔、２３…連結ピン、２４…チェーン。
【図１】
2005329965.tif 000003
【図２】
2005329965.tif 000004
【図３】
2005329965.tif 000005
【図４】
2005329965.tif 000006
【図５】
2005329965.tif 000007
【図６】
2005329965.tif 000008
【図７】
2005329965.tif 000009
【図８】
2005329965.tif 000010
【図９】
2005329965.tif 000011